(57)【特許請求の範囲】
【請求項１】
ストリングスの表面に、凹凸付与剤として、長さが直径よりも短くならない程度に細断した繊維材を貼付した
ことを特徴とするストリングス。
【請求項２】
請求項１において、
前記繊維材の長さは、前記繊維材の直径の４倍以上である
ことを特徴とするストリングス。
【請求項３】
請求項１又は２において、
前記繊維材の長手方向が、前記ストリングスの長手方向に沿うように貼付されている
ことを特徴とするストリングス。
【請求項４】
請求項１〜３のいずれかにおいて、
前記繊維材の長さは、前記ストリングスがラケットに張られる際の、縦ストリングスと横ストリングスで形成される格子の間隔より短い
ことを特徴とするストリングス。
【発明の詳細な説明】
【技術分野】
【０００１】
本発明は、バドミントン、テニス及びスカッシュ等のラケットに使用されるストリングス（ガット）の技術分野に関する。
【背景技術】
【０００２】
バドミントン、テニス及びスカッシュ等においては、ラケットでボールやシャトルなどの被打体を打ち返す際、単に打ち返すだけでなく、被打体にスピンをかけることによって、ボールをコントロールする行為が広く行われている。
【０００３】
被打体に強いスピンをかけるには、被打体とストリングス表面との摩擦係数が高い程望ましいので、これを実現する為に、様々な発明が提案されている。
【０００４】
例えば、特許文献１においては、ストリングス表面にダイヤモンド粒子を接着し、摩擦係数を高めるという技術が提案されている。
【０００５】
また、特許文献２においては、ストリングス表面に円錐型の突起物を設け、摩擦係数を高めるという技術が提案されている。
【０００６】
また、特許文献３においては、ストリングス自体が、順次、太幅と細幅となるように構成され、この凹凸によって摩擦係数を高めるという技術が提案されている。
【０００７】
また、特許文献４においては、ストリングス表面に複数の凹部を設け、この凹部によって摩擦係数を高めるという技術が提案されている。
【０００８】
また、特許文献５においては、ストリングス内に、ガラス粉末やシリカ粉末を混入し、表面に露出したこれらガラス粉末やシリカ粉末によって、摩擦係数を高めるという技術が提案されている。
【先行技術文献】
【特許文献】
【０００９】
【特許文献１】特開平５−６４６７０号公報
【特許文献２】実用新案登録第３０８９５５０号公報
【特許文献３】特開２０００−２１０３９６号公報
【特許文献４】実用新案登録第３１５５９７３号公報
【特許文献５】実開昭４８−１１００５６号公報
【発明の概要】
【発明が解決しようとする課題】
【００１０】
しかしながら、特許文献１に記載の技術は、確かに摩擦係数を高めることはできるであろうと思われるが、ダイヤモンド粒子を使用するため、極めて高いコストを要する。更に、グロメットを通したり、既設ストリングスの間を通してストリングスを張り上げる場面で、自らの抵抗によって擦れて脱落しやすいという問題もあった。
【００１１】
また、特許文献２に記載の技術も、確かに摩擦係数を高めることはできるであろうと思われるが、グロメットに通したり、既に張ってあるストリングスと交差方向のストリングスを張る際に、引っ掛かって張設性が著しく低下してしまう。更に、グロメットを通したり、既設ストリングスの間を通してストリングスを張り上げる場面で、自らの抵抗によって擦れて脱落しやすいという問題もあった。
【００１２】
また、特許文献３に記載の技術も、確かに摩擦係数を高めることはできるであろうと思われるが、グロメットに通したり、既に張ってあるストリングスと交差方向のストリングスを張る際に、引っ掛かって張設性が著しく低下してしまう。
【００１３】
また、特許文献４に記載の技術も、確かに摩擦係数を高めることはできるであろうと思われるが、ストリングス自体に凹部を設けるので、耐久性や使用感（打球感）が大きく異なってしまうという問題がある。
【００１４】
また、特許文献５に記載の技術も、確かに摩擦係数を高めることはできるであろうと思われるが、摩擦係数を高める為に実際に影響しているのは、ストリングス表面に露出したガラス粉末やシリカ粉末に限られるが、ストリングス全体に混入する必要があり、ストリングスの耐久性や使用感（打球感）が大きく異なってしまうという問題がある。更に、グロメットを通したり、既設ストリングスの間を通してストリングスを張り上げる場面で、自らの抵抗によって擦れて脱落しやすいという問題もあった。
【００１５】
そこで本発明は、こういった問題点を解決するべくなされたものであって、低コストで実現でき、更に、ストリングス自体の耐久性や使用感（打球感）を変化させることがなく、更に、ストリングス張設時においても脱落し難い凹凸付与剤を備えることで被打体との摩擦係数を高めたストリングスを提供する事をその課題としている。
【課題を解決するための手段】
【００１６】
上記課題を解決するべく、本願発明は、ストリングスの表面に、凹凸付与剤として、長さが直径よりも短くならない程度に細断した繊維材を貼付したことを特徴とする。
【００１７】
ここで凹凸付与剤として使用する繊維材は、特に限定されるものではないが、例えば、パラ系アラミド繊維、ポリアリレート繊維、ＰＢＯ繊維、超高分子量ポリエチレン繊維等を、単独で、又は、複数種類の繊維を組み合わせて使用することができる。こういった繊維材を、繊維材の長さが当該繊維剤の直径よりも短くならない程度に細断し、ストリングス表面に凹凸付与剤として貼付することによって、ストリングス自体の耐久性や使用感（打球感）に影響を与えることなく、低コストで、被打体との摩擦係数を高めたストリングスを実現しているのである。なお、本発明を適用することによって、ストリングスを張設した際の縦ストリングスと横ストリングスのズレ（移動）を防止するという効果も発揮することができる。
【００１８】
また、前記繊維材の長さは、前記繊維材の直径の４倍以上であることを特徴とする。
【００１９】
このように、繊維材の長さを、当該繊維材の直径の４倍以上とすることで、凹凸高さに比較してストリングス表面との貼付面積（接着面積）を稼ぐことができるので、脱落し難く且つ耐久性のある状態で、繊維材をストリングス表面に固定することが可能となっている。
【００２０】
また、前記繊維材の長手方向が、前記ストリングスの長手方向に沿うように貼付されていることを特徴とする。
【００２１】
このように、繊維材の長手方向とストリングスの長手方向を揃えることによって、ストリングスをラケットに張り上げる際に凹凸付与剤としての繊維材が、摩擦によって脱落することを防止できる。即ち、ストリングスを張り上げる際にかかる摩擦はストリングスの長さ方向に発生する摩擦であるから、繊維材をその方向に沿って配置することで（摩擦がかかる方向に向いているのは繊維材の太さ（直径）の面でしかないため）、摩擦自体を受け難くし、脱落を防止しているのである。即ち、見方を変えれば、ストリングスの長さ方向への抵抗は大きく増大しないため、ストリングスの張設性の低下を、最低限に抑えている。
【００２２】
また、前記繊維材の長さは、前記ストリングスがラケットに張られる際の、縦ストリングスと横ストリングスで形成される格子の間隔より短いことを特徴とする。
【００２３】
このように構成することによって、繊維材の少なくとも一端面（即ち凹凸）が必ず格子間隔の間に位置することとなるため、貼付された繊維材によって確実に被打体との摩擦係数を高めることが可能となる。
【発明の効果】
【００２４】
本発明を適用することで、低コストで実現でき、更に、ストリングス自体の耐久性や使用感（打球感）を変化させることがなく、更に、ストリングス張設時においても脱落し難い凹凸付与剤を備えることで被打体との摩擦係数を高めたストリングスを提供することができる。
【図面の簡単な説明】
【００２５】
【図１】本発明を適用したストリングスの第１の例を示した概略図である。
【図２】本発明を適用したストリングスの第２の例を示した概略図である。
【図３】ラケットに張設されたストリングスの格子の一部を示した図である。
【図４】本発明を適用したストリングス表面の拡大写真である。
【発明を実施するための形態】
【００２６】
以下、添付図面を参照しつつ、本発明の実施形態の一例であるストリングス１０のについて説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２７】
〈ストリングスの構成〉
図１に示しているように、本発明の実施形態の一例として示したストリングス１０は、その表面に、凹凸付与材として機能する複数の繊維材２０が貼付されている。この繊維材２０は、例えば、パラ系アラミド繊維、ポリアリレート繊維、ＰＢＯ繊維、超高分子量ポリエチレン繊維等を、単独で、又は、複数種類の繊維が組み合わされた形で使用されている。なお、繊維材２０のストリングス１０表面への貼付方法は、接着剤を用いて接着してもよいし、ストリングス１０の表面をコーティングするコーティング剤で、繊維材２０と共にコーティングして固定するなど、種々の方法で貼付することが可能である。
【００２８】
また、図１に示しているように、繊維材２０の長さＬは、繊維材２０の直径Ｄよりも短くならないように構成されており、望ましくは、繊維材２０の長さＬが、繊維材２０の直径Ｄの４倍以上とすることが望ましい。このように、繊維材２０の長さＬが当該繊維剤２０の直径Ｄよりも短くならない程度に細断し、ストリングス１０の表面に凹凸付与剤として貼付することによって、ストリングス１０自体の耐久性や使用感（打球感）に影響を与えることなく、低コストで、被打体との摩擦係数を高めたストリングス１０を実現しているのである。
【００２９】
また、繊維材２０の長さＬを、当該繊維材１０の直径Ｄの４倍以上とすることで、凹凸高さに比較して繊維材２０とストリングス１０表面との貼付面積（接着面積）を稼ぐことができるので、脱落し難く且つ耐久性のある状態で、繊維材２０をストリングス１０表面に固定することが可能となっている。
【００３０】
また、図１に示しているように、繊維材２０の長手方向が、ストリングス１０の長手方向に沿うように貼付されるのが望ましい。このように、繊維材２０の長手方向とストリングス１０の長手方向を揃えることによって、ストリングス１０をラケットに張り上げる際に凹凸付与剤としての繊維材２０が、摩擦によって脱落することを防止できる。即ち、ストリングス１０を張り上げる際にかかる摩擦はストリングスの長さ方向に発生する摩擦であるから、繊維材２０をその方向に沿って配置することで（摩擦が係る方向に向いているのは繊維材２０の太さ（直径Ｄ）の面でしかないため）、摩擦自体を受け難くし、脱落を防止しているのである。即ち、見方を変えれば、ストリングス１０の長さ方向への抵抗は大きく増大しないため、ストリングス１０の張設性の低下を、最低限に抑えている。
【００３１】
但し、図２に示しているように、繊維材２０の方向が、必ずしもストリングス１０の長手方向に沿っていない場合でも、ストリングス１０の耐久性や使用感（打球感）に影響を与えることなく、被打体との摩擦係数を向上させ、スピン等のボールコントロールを行い易いストリングスを実現することができる。
【００３２】
また、繊維材２０の長さＬは、ストリングス１０がラケットに張られる際の、縦ストリングス１０ａと横ストリングス１０ｂで形成される格子の間隔ｄ（図３参照）より短く構成することが望ましい。このように構成することによって、繊維材２０の少なくとも一端面（即ち凹凸）が必ず格子間隔の間に位置することとなるため、貼付された繊維材２０によって確実に被打体との摩擦係数を高めることが可能となる。
【符号の説明】
【００３３】
１０・・・ストリングス（ガット）
１０ａ・・・縦ストリングス
１０ｂ・・・横ストリングス
２０・・・繊維材（凹凸付与材）
Ｌ・・・繊維材の長さ
Ｄ・・・繊維材の直径
ｄ・・・縦ストリングスと横ストリングスとで形成された格子の間隔
【図１】
0006433025.tif 000002
【図２】
0006433025.tif 000003
【図３】
0006433025.tif 000004
【図４】
0006433025.tif 000005